(57)【要約】【課題】外壁材へ打ち込まれた釘、ビス等が壁面の中空間部へ、突き出ているための強度不足を補うため、強度の高い木造建築屋根勾配壁面構造を提供する。【解決手段】木造建築切り妻造りの屋根勾配に合わせた妻部分の壁面、又は片流れの屋根勾配に合わせた壁面となる三角形状の外壁構造体へ、小端を上、下に向けて、幅広い面を室外側に面するように取り付けることを特徴とする、斜め補強材により、外壁材を確実に固定し、耐久性及び施工精度並びに強度の高い、木造建築屋根勾配壁面構造を提供する。【選択図】図１
2012007454.tif 000002
【特許請求の範囲】
【請求項１】
木造建築切り妻造りの屋根勾配に合わせた妻部分の壁面、又は片流れの屋根勾配に合わせた壁面となる三角形状をなす外壁構造体において、骨組みとなる縦材及び横材等の室外側に、斜め補強材を取り付けるための切り欠き部が形成されていることを、特徴とする木造建築屋根勾配壁面構造。
【請求項２】
請求項１において、三角形状をなす外壁構造体の、骨組みとなる縦材及び横材等に形成された切り欠き部へ、斜め補強材を、小端を上、下に向けて、幅広い面を室外側に面するように取り付け、外壁材の壁材取付け面が、同一平面上となるように固定し、通気外胴縁、又は外壁材を、釘、ビス等の固定金物を打ち込み、建物の外側へ固定する工法であり、前記斜め補強材は、壁材との組み合わせ時の厚さが、任意の固定金物が突き抜けない厚みとなるものであることを、特徴とする木造建築屋根勾配壁面構造。
【発明の詳細な説明】
【技術分野】  本発明は、木造建築切り妻造りの屋根勾配に合わせた妻部分の壁面、又は片流れ屋根の壁面の、三角形状をなす外壁構造体に、斜め補強材を取り付け、外壁材を、釘、ビス等の固定金物を利用して、木造建築の壁面に確実に固定することができる機能をもたせた、強度の高い木造建築屋根勾配壁面構造に関するものである。
【背景技術】
【０００１】  従来、木造建築では、パネルによる枠組み壁工法、２×４（ツ−バイフォ−）工法や在来軸組工法等の施工方法により施工されている。
予め工場等で製造され、一対の縦枠と一対の横枠により、方形に形成された枠部材内に、間柱及び横つなぎ材を配置し、内部に断熱材を充填し、枠体の表、裏に合板材を張った壁パネルを用いて、施工場所において、床、壁、屋根等を組み立て、防湿、防カビ、防滴、雨水の侵入防止のため、外側全面に透湿性防水シ−ト等を張る枠組み壁工法、又は土台を敷き、柱、間柱を建て、桁、梁等で組み立て、内部に断熱材を充填し、外側に合板材等を張り、外側全面に透湿性防水シ−ト等を張る在来軸組工法が知られている。【０００２】  また、切り妻造りの屋根勾配に合わせた妻部分の壁面、又は片流れ屋根の壁面では、予め工場等で三角形状に製造され、内部に断熱材を充填し、枠体の表、裏に合板材を張った壁パネルを、複数枚用いて組み立て、枠組み壁工法の壁面が構築されている。
在来軸組工法では、梁、間柱、母屋束、棟束を用いて、三角形状の壁面が構築され、外側には、合板材等を張り、内側に断熱材を充填した、切り妻造りの妻部分の壁面、又は片流れ屋根の壁面が知られている。【０００３】  さらに、建築物の透湿性防水シ−ト等の外側の、枠組み壁工法では、パネルの縦枠、パネルの間柱の位置へ、在来軸組工法では、柱、間柱の位置へ、外壁材の張り方によって通気外胴縁を縦、又は横に、釘、ビス等の固定金物を打ち込み取り付け、通気外胴縁の外側に外壁材を張り、外壁材の表面より、通気外胴縁の位置へ、釘、ビス等の固定金物を打ち込み取り付けている通気工法が知られている。
【先行技術文献】
【０００４】
【特許文献１】  特開平７−４２２５５
【特許文献２】  特開平９−２９１６４８
【特許文献３】  特開２００１−１３２１３９
【発明の概要】
【発明が解決しようとする課題】
【０００５】  そのために、次のような問題点があった。
（イ）図９に示すように、切り妻造りの屋根勾配に合わせた妻部分の壁面、又は片流れ屋根の壁面では、屋根勾配に合わせ、外壁材を斜め勾配に切断するため、先端部分が細長い鋭角となることが多く、釘、ビス等の固定金物を打ち込むと、打ち込み時の振動や衝撃により、折損や亀裂が生じるため、先端部分より離れた位置に、釘、ビス等の固定金物を打ち込み、固定しており、外壁材に、反りや歪みが出て、板間（合じゃくり）に隙間ができやすく、風雨により雨水が壁パネル内部に入ることもあった。
（ロ）本来、釘、ビス等の固定金物は、長さの全てを木材の内部に打ち込み、荷重に対する強度を最大限利用することが望ましい。しかし、図１０に示すように、斜め勾配の壁面では、通気外胴縁は、勾配と同様に斜めに壁パネルの薄い合板材に、釘、ビス等の固定金物により、打ち込み取り付けられるが、壁パネルの合板材が薄いため、釘、ビス等の固定金物の長さの１／２〜１／３程が、壁パネルの薄い合板材の裏の、中空間部へ貫通し、突き出ており、強度低下となっている。
（ハ）図１８に示すように、在来軸組工法の、切り妻造りの屋根勾配に合わせた妻部分の壁面、又は片流れ屋根の三角形状の壁面では、梁の上に建て込んだ間柱、母屋束、棟束による構造体の外側に合板材を張り、屋根勾配に合わせ、斜めに取り付けた通気外胴縁が、壁面の合板材にのみ、釘、ビス等の固定金物を打ち込み取り付けられ、釘、ビス等の固定金物の長さの１／２〜１／３程が、壁パネルの薄い合板材の裏の、中空間部へ貫通し、突き出ており、強度低下となっている。
（ニ）図１６及び図１７に示すように、切り妻造りの屋根勾配に合わせた妻部分の壁面、又は片流れ屋根の壁面の斜め勾配では、構造体の骨組みが斜めに入っていないため、通気外胴縁、外壁材より打ち込んだ、釘、ビス等の固定金物は、合板材への打ち込みとなり抜けやすく、外壁材が剥がれやすくなるという問題が生ずる。
（ホ）三角形状の屋根勾配の壁面では、通気外胴縁が合板材にのみの取り付けとなる部分も多く、しっかりと固定されないことが多い。このため、通気外胴縁の外側に取り付ける外壁材の斜め勾配に切断され、鋭角となった先端部分も、釘、ビス等の固定金物を打ち込んだ時に、釘、ビス等の固定金物の入り方が悪く、何度も何度も打ち込むことも必要であり、折損や割れ、欠けによる外壁材の張替えも発生し、建物の高い部分の壁面であり、張替えには時間もかかり、作業効率の低下となり、また外壁材を多く使用することになり、経費も多くかかっていた。
（ヘ）小屋裏となる三角形状の骨組み並びに防火壁部分の構造体においても、屋根部分の重量を支えること、及び上からかかる力、また地震や風等による横からの力に対する強度を、できるだけ高くすることが求められている。
本発明は、これらの問題点を解決するためになされたものである。
【課題を解決するための手段】
【０００６】  請求項１記載の発明は、枠組み壁工法の切り妻造りの妻部分の壁面、片流れの屋根勾配の壁面では、予め工場等で製造された、三角形状の勾配用壁パネルの、建築用壁パネルが複数枚連続的に接続されて、勾配屋根に対しての壁面が構成され、一対の縦枠と斜め枠、及び横枠の枠体の中に、間柱及び横つなぎ材を設けてなる壁パネルの構造体において、縦枠及び横枠、間柱並びに横つなぎ材には、斜め補強材が納まる大きさの、所定の切り欠き部が形成されていることを特徴とする。【０００７】  また、在来軸組工法の切り妻造りの妻部分の壁面、片流れの屋根勾配の壁面では、梁の上に建て込んだ間柱、母屋束、棟束による構造体の外側に合板材を張り、三角形状の壁面を構成している建物の、梁、間柱、母屋束、棟束には、斜め補強材が納まる大きさの、所定の切り欠き部が形成されていることを特徴とする。【０００８】  請求項２記載の発明は、三角形状をなす外壁構造体の、骨組みとなる縦枠及び横枠、間柱並びに横つなぎ材、又は梁、間柱、母屋束、棟束等に形成された切り欠き部へ、斜め補強材を、小端（長手方向のせまい面）を上、下に向けて、幅広い面を室外側に面するように取付け、壁材取付け面が、同一平面上となるように固定し、通気外胴縁、又は外壁材を、釘、ビス等の固定金物を打ち込み、建物の外側へ固定することを特徴とする。【０００９】  斜め補強材は、壁パネルの縦枠や間柱と同じ程度の幅を有し、容易に変形しないものであり、厚みは外壁材等との組み合わせ時の厚さが、釘、ビス等の任意の固定金物が突き抜けない厚みとなるものであることを特徴とする。【００１０】  小屋裏となる三角形状の骨組み並びに防火壁部分の構造体においても、壁面と同様の構造体のため図面表示はしないが、骨組みとなる縦材や横材に、斜め補強材が納まる切り欠き部を設け、この切り欠き部に斜め補強材を組み合わせ、はめ込み取り付けられることを特徴とする。
【発明の効果】
【００１１】  請求項１記載の発明では、枠組み壁工法の壁パネル内の一対の縦枠と間柱、横枠並びに横つなぎ材、在来軸組工法の梁、母屋束、間柱、棟束へ、斜め補強材を取り付けるための大きさの、所定の切り欠きを設けることで、斜め補強材を組み合わせ、しっかりと固定できるという効果がある、【００１２】  請求項２記載の発明では、小端（長手方向のせまい面）を上、下に向けて、幅広い面を室外側に向けて、斜め補強材が取り付けられることにより、三角形状の壁面の強度向上となり、変形が防止され、釘、ビス等の固定金物を固定する部分が多くなり、通気外胴縁、又は外壁材の表面より打ち込む、釘、ビス等の固定金物を打ち損じることもなく、確実に固定することができるという効果がある。【００１３】  小端を上、下に向け、幅広い面を室外側に向けて、斜め補強材を取り付けることにより、釘、ビス等の固定金物を固定する部分が多くなり、外壁材を確実に取り付けることができるという効果があり、外壁材の板間（合じゃくり）に隙間もできず、気密性、断熱性も高く、さらに、屋根部分の重量を支える力、地震や風等による横からの力に対する強度も高くなり、施工精度及び強度の向上により耐用年数が長くなり、信頼性の高いものにすることができる。【００１４】  また、斜め補強材を取り付けることにより、外壁材の斜め勾配に切断された鋭角となった先端部分も、外壁材の表面より打ち込んだ、釘、ビス等の固定金物が、斜め補強材へ打ち込まれるため、外壁材を確実に取り付けることができ、何度も何度も力強く打ち込むこともなくなり、へこみや穴、割れや欠け、折損等による外壁材の張替えによる損失も減少し、作業効率の向上と経費削減につながる。【００１５】  小屋裏となる三角形状の骨組み並びに防火壁部分の構造体において、斜め補強材を取り付けることにより、変形を防止すると共に、横からの水平力及び上からの垂直力に対しての強度が向上する。【００１６】  釘、ビス等の固定金物は、木材の中へ長さの全てが打ち込まれて、効果的な強度が出るが、斜め補強材を取り付けることにより、外壁材の表面より打ち込んだ、釘、ビス等の固定金物の長さの全てが、外壁材と通気外胴縁、斜め補強材へ打ち込まれるため、抜けずらく、強固に固定される。
【図面の簡単な説明】
【００１７】
【図１】本発明の枠組み壁工法屋根勾配壁面斜め補強材施工連結壁パネル斜視図である。
【図２】本発明の実施形態の一例の複数の壁パネルを接合した枠組み壁工法屋根勾配妻型連結壁パネルの正面図である。
【図３】本発明の枠組み壁工法屋根勾配壁面斜め補強材取り付け用切り欠き部施工連結壁パネル斜視図である。
【図４】本発明の枠組み壁工法屋根勾配壁面斜め補強材及び取り付け用切り欠き部施工連結壁パネル斜視図である。
【図５】本発明の枠組み壁工法屋根勾配壁面斜め補強材施工連結壁パネル斜視図である。
【図６】本発明の枠組み壁工法屋根勾配壁面斜め補強材施工通気外胴縁及び横張り外壁材施工連結壁パネル斜視図である。
【図７】本発明の枠組み壁工法屋根勾配壁面斜め補強材施工通気外胴縁及び横張り外壁材施工連結壁パネル図６のＡ−Ａ断面拡大斜視図である。
【図８】従来の枠組み壁工法屋根勾配壁面連結壁パネル斜視図である。
【図９】従来の枠組み壁工法屋根勾配壁面通気外胴縁及び横張り外壁材施工連結壁パネル斜視図である。
【図１０】従来の枠組み壁工法屋根勾配壁面通気外胴縁及び横張り外壁材施工連結壁パネル図９のＢ−Ｂ断面拡大斜視図である。
【図１１】本発明の在来軸組工法屋根勾配壁面構造体斜め補強材取り付け用切り欠き部施工斜視図である。
【図１２】本発明の在来軸組工法屋根勾配壁面構造体斜め補強材及び取り付け用切り欠き部施工斜視図である。
【図１３】本発明の在来軸組工法屋根勾配壁面構造体斜め補強材施工斜視図である。
【図１４】本発明の在来軸組工法屋根勾配壁面構造体斜め補強材施工通気外胴縁及び横張り外壁材施工斜視図である。
【図１５】本発明の在来軸組工法屋根勾配壁面構造体斜め補強材施工通気外胴縁及び横張り外壁材施工図１４のＣ−Ｃ断面拡大斜視図である。
【図１６】従来の在来軸組工法屋根勾配壁面構造体斜視図である。
【図１７】従来の在来軸組工法屋根勾配壁面構造体通気外胴縁及び横張り外壁材施工斜視図である。
【図１８】従来の在来軸組工法屋根勾配壁面構造体通気外胴縁及び横張り外壁材施工図１７のＤ−Ｄ断面拡大斜視図である。
【発明を実施するための形態】
【００１８】  以下、本発明の第一の実施の形態について説明する。
枠組み壁工法の壁パネル２０は、三角形状の枠体を形成する一対の縦枠２１ａ及び２１ｂと横枠２２並びに斜め枠２３に、釘、ビス等の固定金物３５により固定される合板材３２からなり、図２に示すように、内部に斜め補強材２６を取付けた複数の壁パネルを接合した、屋根勾配妻型連結壁パネルの正面図である。
【００１９】  また、横つなぎ材２５は、一対の縦枠２１ａ及び２１ｂに、横枠２２と平行に取付けられている。
間柱２４は、横つなぎ材２５と直角に交差するように、横枠２２と斜め枠２３の間に垂直に取り付けられている。
間柱２４と横つなぎ材２５との交差部分は、相互切り欠きを形成し組み合わせ、接合部は、接着剤による接着とし、釘、ビス等の固定金物３５により固定されている。
【００２０】  図３に示すように、一対の縦枠２１ａ及び２１ｂと横枠２２並びに間柱２４、横つなぎ材２５には、斜め補強材２６が納まる大きさの切り欠き３０が形成されている。
【００２１】  図１又は図５に示すように、一対の縦枠２１ａ及び２１ｂと横枠２２並びに間柱２４、横つなぎ材２５の切り欠き３０へ、斜め補強材２６の小端（長手方向のせまい面）２７を上、下へ向け、幅広い面を内、外へ向けて組み合わせ、接合部は、接着剤による接着とし、壁材取付け面が同一平面上となるよう、釘、ビス等の固定金物３５により固定されている。
【００２２】  図６に示すように、壁パネル２０の合板材３２の外側には、湿気や水蒸気は透過できるものの、雨風は通さないシ−ト部材である透湿性防水シ−ト（図示しない）を張り、その外側に通気外胴縁３３を介して外壁材３１が、釘、ビス等の固定金物３５により固定されている。
通気外胴縁３３は、外壁材３１との間に隙間を作ることによって、通気性を良くし、カビの発生や結露を防止し、建築用壁パネル２０の耐用年数を長くするものであり、通気のため、充分な厚さを有するものであることが必要である。
この壁パネル２０の内部には、断熱材等（図示しない）が一体に設けられている。
【００２３】  図７に示すように、通気外胴縁３３へ打ち込んだ、釘、ビス等の固定金物３５並びに外壁材３１へ打ち込んだ、釘、ビス等の固定金物３５の長さの全てが、斜め補強材２６へ打ち込まれ、しつかりと固定されている。
斜め補強材２６の厚さは、壁パネル２０の縦枠２１ａ及び２１ｂと横枠２２並びに間柱２４、横つなぎ材２５等の厚さとほぼ同じであり、通気外胴縁３３、及び外壁材３１との組み合わせ時の厚さが、釘、ビス等の固定金物３５が突き抜けない程度の厚さがあることが必要である。
斜め補強材２６の幅は、壁パネル２０の縦枠２１ａ及び２１ｂと横枠２２並びに間柱２４、横つなぎ材２５等の幅とほぼ同じであり、容易に変形せず、釘、ビス等の固定金物３５を打ち込みやすい程度の幅が必要である。
【００２４】  斜め補強材２６を取り付けることで、壁パネル２０の外側に、外壁材３１を直接取り付ける工法や、壁パネル２０の外側に、通気外胴縁３３を取り付け、その外側に外壁材３１を取り付ける通気工法、又は壁パネル２０の外側に、断熱材を取り付け、断熱材の外側に通気外胴縁３３を取り付け、その外側に外壁材３１を取り付ける通気外断熱工法等では、屋根勾配に合わせた三角形状の壁面の、斜め勾配に取り付けた通気外胴縁３３、外壁材３１も確実に、しっかりと固定することができる。
【００２５】  以下、本発明の第二の実施の形態について説明する。
図１１に示すように、柱３７、間柱３８を垂直に建込み、柱３７、間柱３８の上に梁３９、桁４０を組み合わせ取り付ける在来軸組工法。
在来軸組工法の、切り妻造りの妻部分の壁面、片流れの屋根勾配の壁面では、梁３９の上に母屋束４２、間柱３８、棟束４１を垂直に建て、三角形状を形成する壁面が構成されている。
梁３９、母屋束４２、間柱３８、棟束４１には、斜め補強材２６が納まる大きさの切り欠き３０が形成されている。
【００２６】  図１２又は図１３に示すように梁３９、母屋束４２、間柱３８、棟束４１の切り欠き３０へ、斜め補強材２６の小端（長手方向のせまい面）２７を上、下へ向け、幅広い面を内、外へ向けて組み合わせ、接合部は、接着剤による接着とし、釘、ビス等の固定金物３５により、壁材取り付け面が同一平面上となるよう固定されている。
【００２７】  図１４に示すように、柱３７、間柱３８、梁３９、桁４０、母屋束４２、間柱３８、棟束４１の外側全面に合板材３２を張り、その外側に湿気や水蒸気は透過できるものの、雨風は通さないシ−ト部材である透湿性防水シ−ト（図示しない）を張り、その外側に通気外胴縁３３を介して外壁材３１を、釘、ビス等の固定金物３５により固定されている。
通気外胴縁３３は、外壁材３１との間に隙間を作ることによって、通気性を良くし、カビの発生や結露を防止し、建築物の耐用年数を長くするものであり、通気のため、充分な厚さを有するものであることが必要である。
この壁面の内部には、断熱材等（図示しない）が一体に設けられている。
【００２８】  図１５に示すように、通気外胴縁３３へ打ち込んだ、釘、ビス等の固定金物３５並びに外壁材３１へ打ち込んだ、釘、ビス等の固定金物３５の長さの全てが、斜め補強材２６へ打ち込まれ、しつかりと固定されている。
斜め補強材２６の厚さは、間柱３８の厚さとほぼ同じであり、通気外胴縁３３、及び外壁材３１との組み合わせ時の厚さが、釘、ビス等の固定金物３５が突き抜けない程度の厚さがあることが必要である。
斜め補強材２６の幅は、間柱３８の幅とほぼ同じであり、容易に変形せず、釘、ビス等の固定金物３５を打ち込みやすい程度の幅が必要である。
【００２９】  斜め補強材２６を取り付けることで、建物の外側に、外壁材３１を直接取り付ける工法や、建物の外側に、通気外胴縁３３を取り付け、その外側に外壁材３１を取り付ける通気工法、又は建物の外側に、断熱材を取り付け、断熱材の外側に通気外胴縁３３を取り付け、その外側に外壁材３１を取り付ける通気外断熱工法等では、屋根勾配に合わせた三角形状の壁面の、斜め勾配に取り付けた通気外胴縁３３、外壁材３１も確実に、しっかりと固定することができる。
【００３０】  斜め補強材２６取り付け用切り欠き３０の高さは、破風板３４の取付けの有、無、又は破風板の下がり幅等で、設計図書により規定されているが、通気外胴縁３３や外壁材３１より打ち込んだ釘、ビス等の固定金物３５を打ち外すことのない、最適の高さに合わせて形成することが望ましい。
【符号の説明】
【００３１】２０  壁パネル
２１  縦枠
２２  横枠
２３  斜め枠
２４  間柱
２５  横つなぎ材
２６  斜め補強材
２７  斜め補強材小端
２８  屋根パネル
２９  板間（合いじゃくり）
３０  切り欠き
３１  外壁材
３２  合板材
３３  通気外胴縁
３４  破風板
３５  固定金物
３６  中空間部
３７  柱
３８  間柱
３９  梁
４０  桁
４１  棟束
４２  母屋束
【図１】
2012007454.tif 000003
【図２】
2012007454.tif 000004
【図３】
2012007454.tif 000005
【図４】
2012007454.tif 000006
【図５】
2012007454.tif 000007
【図６】
2012007454.tif 000008
【図７】
2012007454.tif 000009
【図８】
2012007454.tif 000010
【図９】
2012007454.tif 000011
【図１０】
2012007454.tif 000012
【図１１】
2012007454.tif 000013
【図１２】
2012007454.tif 000014
【図１３】
2012007454.tif 000015
【図１４】
2012007454.tif 000016
【図１５】
2012007454.tif 000017
【図１６】
2012007454.tif 000018
【図１７】
2012007454.tif 000019
【図１８】
2012007454.tif 000020